(57)【要約】【課題】本発明は卓面多機能ＬＥＤライトを開示した。【解決手段】ライト棒と、デスクライト台と、ベッドライト台とを含み、前記ライト棒は前記デスクライト台と前記ベッドライト台とに取り付けられることができ、前記ライト棒は半円柱を含み、左側の前記半円柱には第一ヒンジ軸が固定的に設けられ、右側の前記半円柱には第二ヒンジ軸が固定的に設けられ、前記第二ヒンジ軸と前記第一ヒンジ軸とがヒンジによって連結され、設備は機械構造により電動的に転換し、設備の電動転換率が高く、同時に各機構が緊密に協働し、設備の機能が多く、設備の操作が簡単でわかりやすく、各部品は単独に取り出して交換することができ、設備の構造が一目瞭然であり、設備の修理が簡単で便利であり、設備の使い道が多く、実用性が強い。【選択図】図１
2020177894.tif 000002
【特許請求の範囲】
【請求項１】
正面視で、ライト棒と、デスクライト台と、ベッドライト台とを含み、前記ライト棒は前記デスクライト台と前記ベッドライト台とに取り付けられることができ、前記ライト棒は半円柱を含み、左側の前記半円柱には第一ヒンジ軸が固定的に設けられ、右側の前記半円柱には第二ヒンジ軸が固定的に設けられ、前記第二ヒンジ軸と前記第一ヒンジ軸とがヒンジによって連結され、前記半円柱の左端には取っ手が固定的に設けられ、前記半円柱の底端にはＬＥＤライトベルトが設けられ、二つの前記ＬＥＤライトベルトが第一接触点により連結され、前記デスクライト台はライトカバーを含み、前記ライトカバーにはスタンドが支持枠により固定的に連結され、前記ライトカバーの中には上方に開口した第一空きチャンバが設けられ、前記第一空きチャンバの両端壁には第二空きチャンバが連通するように設けられ、前記ベッドライト台はベッドライトスタンドを含み、前記ベッドライトスタンドの頂面には円柱ガラスが固定的に設けられ、前記円柱ガラスの中には上方に開口した第三空きチャンバが設けられることを特徴とする卓面多機能ＬＥＤライト。
【請求項２】
前記ライト棒は前記半円柱を含み、前記半円柱の中には第四空きチャンバが設けられ、前記第四空きチャンバの底端には充電チップが設けられ、前記第四空きチャンバの頂端にはガイドシートが設けられ、前記ガイドシートと前記充電チップとにはバッテリーが取り付けられることができ、前記取っ手の左端には第二接触点が固定的に設けられ、前記第二接触点と前記ガイドシートとには第一通電導線が連結され、前記充電チップと前記ＬＥＤライトベルトとには第三通電導線が連結され、前記半円柱の中には第一永久磁石が嵌設されることを特徴とする請求項１に記載の卓面多機能ＬＥＤライト。
【請求項３】
前記デスクライト台は前記第二空きチャンバを含み、前記第二空きチャンバのうち前記支持枠から離れている端壁には前記第二接触点と係合する第三接触点が固定的に設けられ、前記第一空きチャンバの底端には光透過ガラスが固定的に設けられ、前記光透過ガラスの左右両側には上下に貫通しているスライド溝が設けられ、前記スライド溝の中には押しロッドがスライドできるように設けられ、前記押しロッドの底端には第二永久磁石が固定的に設けられ、前記スライド溝の底端には前記第二永久磁石と係合する電磁石が固定的に設けられ、前記電磁石のうち前記支持枠から離れている側にはバネ復帰機構が固定的に設けられ、前記スタンドの左側頂面には前記電磁石を制御するボタンスイッチが固定的に設けられ、前記スタンドの右端面にはプラグが連結されることを特徴とする請求項１に記載の卓面多機能ＬＥＤライト。
【請求項４】
前記ベッドライト台は前記第三空きチャンバを含み、前記第三空きチャンバの中にはスライドブロックがスライドできるように設けられ、前記スライドブロックには上方に開口した第五空きチャンバが設けられ、前記第五空きチャンバの底端には第四接触点が固定的に設けられ、前記スライドブロックの底端には通電スイッチが固定的に設けられ、前記通電スイッチの底端には色温度チップが設けられ、前記ベッドライトスタンドの中の右側には前記色温度チップを制御するノブスイッチが設けられることを特徴とする請求項１に記載の卓面多機能ＬＥＤライト。
【発明の詳細な説明】
【技術分野】
【０００１】
本発明はＬＥＤライト分野を取り上げて、具体的には卓面多機能ＬＥＤライトである。
【背景技術】
【０００２】
周知のように、人々のエンターテイメントがより豊かになることと共に、必要とされる設備の種類もだんだん細かくなり、例えばＬＥＤライトであり、生活の中には懐中電灯と、デスクライトと、ベッドライトなどの多くの種類のライトがあり、設備の種類が多くなって設備も複雑になったが、機能が単一であり、消費者が製品を選択することも面倒くさくなり、同時に買った設備が多いほど、占めす生活の空間も大きく、同時に各設備は使用者の習慣により、使用効果が異なっており、
従って、卓面多機能ＬＥＤライトを設計して以上の問題を解決し、多機能を実現することと同時に、設備の実用性を強くする。
【先行技術文献】
【特許文献】
【０００３】
【特許文献１】中国特許出願公開第１０９７２４０２８号明細書
【発明の概要】
【発明が解決しようとする課題】
【０００４】
本発明の目的は卓面多機能ＬＥＤライトを提供し、それは上記の現在の技術中の問題を解決できる。
【課題を解決するための手段】
【０００５】
本発明は以下の技術プランを通じて実現する：本発明の卓面多機能ＬＥＤライトは、ライト棒と、デスクライト台と、ベッドライト台とを含み、前記ライト棒は前記デスクライト台と前記ベッドライト台とに取り付けられることができ、前記ライト棒は半円柱を含み、左側の前記半円柱には第一ヒンジ軸が固定的に設けられ、右側の前記半円柱には第二ヒンジ軸が固定的に設けられ、前記第二ヒンジ軸と前記第一ヒンジ軸とがヒンジによって連結され、前記半円柱の左端には取っ手が固定的に設けられ、
前記半円柱の底端にはＬＥＤライトベルトが設けられ、二つの前記ＬＥＤライトベルトが第一接触点により連結され、前記デスクライト台はライトカバーを含み、前記ライトカバーにはスタンドが支持枠により固定的に連結され、前記ライトカバーの中には上方に開口した第一空きチャンバが設けられ、前記第一空きチャンバの両端壁には第二空きチャンバが連通するように設けられ、前記ベッドライト台はベッドライトスタンドを含み、前記ベッドライトスタンドの頂面には円柱ガラスが固定的に設けられ、前記円柱ガラスの中には上方に開口した第三空きチャンバが設けられる。
【０００６】
優選の技術プランとして、前記ライト棒は前記半円柱を含み、前記半円柱の中には第四空きチャンバが設けられ、前記第四空きチャンバの底端には充電チップが設けられ、前記第四空きチャンバの頂端にはガイドシートが設けられ、前記ガイドシートと前記充電チップとにはバッテリーが取り付けられることができ、前記取っ手の左端には第二接触点が固定的に設けられ、前記第二接触点と前記ガイドシートとには第一通電導線が連結され、前記充電チップと前記ＬＥＤライトベルトとには第三通電導線が連結され、前記半円柱の中には第一永久磁石が嵌設される。
【０００７】
優選の技術プランとして、前記デスクライト台は前記第二空きチャンバを含み、前記第二空きチャンバのうち前記支持枠から離れている端壁には前記第二接触点と係合する第三接触点が固定的に設けられ、前記第一空きチャンバの底端には光透過ガラスが固定的に設けられ、前記光透過ガラスの左右両側には上下に貫通しているスライド溝が設けられ、前記スライド溝の中には押しロッドがスライドできるように設けられ、前記押しロッドの底端には第二永久磁石が固定的に設けられ、前記スライド溝の底端には前記第二永久磁石と係合する電磁石が固定的に設けられ、前記電磁石のうち前記支持枠から離れている側にはバネ復帰機構が固定的に設けられ、前記スタンドの左側頂面には前記電磁石を制御するボタンスイッチが固定的に設けられ、前記スタンドの右端面にはプラグが連結される。
【０００８】
優選の技術プランとして、前記ベッドライト台は前記第三空きチャンバを含み、前記第三空きチャンバの中にはスライドブロックがスライドできるように設けられ、前記スライドブロックには上方に開口した第五空きチャンバが設けられ、前記第五空きチャンバの底端には第四接触点が固定的に設けられ、前記スライドブロックの底端には通電スイッチが固定的に設けられ、前記通電スイッチの底端には色温度チップが設けられ、前記ベッドライトスタンドの中の右側には前記色温度チップを制御するノブスイッチが設けられる。
【発明の効果】
【０００９】
本発明の卓面多機能ＬＥＤライトは電動転換率が高く、設備のモジュラー化程度が高く、使い道が多く、実用性が強く、設備の操作が簡単でわかりやすく、同時に各部品は単独に取り出して交換することができ、設備の修理が簡単で便利である。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の卓面多機能ＬＥＤライトの全体構成略図
【図２】図２は図１のベッドライト台の構成略図
【図３】図３は図１のデスクライト台の構成略図
【図４】図４は図１のライト棒の構成略図
【図５】図５は図４の上面構成略図
【図６】図６は図３の側面構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜６に示すように、本発明の卓面多機能ＬＥＤライトは、ライト棒１１と、デスクライト台１２と、ベッドライト台１０とを含み、前記ライト棒１１は前記デスクライト台１２と前記ベッドライト台１０とに取り付けられることができ、前記ライト棒１１は半円柱４７を含み、左側の前記半円柱４７には第一ヒンジ軸５０が固定的に設けられ、右側の前記半円柱４７には第二ヒンジ軸４５が固定的に設けられ、前記第二ヒンジ軸４５と前記第一ヒンジ軸５０とがヒンジによって連結され、前記半円柱４７の左端には取っ手４８が固定的に設けられ、
前記半円柱４７の底端にはＬＥＤライトベルト４３が設けられ、二つの前記ＬＥＤライトベルト４３が第一接触点４４により連結され、前記デスクライト台１２はライトカバー２２を含み、前記ライトカバー２２にはスタンド２８が支持枠２７により固定的に連結され、前記ライトカバー２２の中には上方に開口した第一空きチャンバ２５が設けられ、前記第一空きチャンバ２５の両端壁には第二空きチャンバ２４が連通するように設けられ、前記ベッドライト台１０はベッドライトスタンド１８を含み、前記ベッドライトスタンド１８の頂面には円柱ガラス１３が固定的に設けられ、前記円柱ガラス１３の中には上方に開口した第三空きチャンバ１４が設けられる。
【００１４】
有益的には、前記ライト棒１１は前記半円柱４７を含み、前記半円柱４７の中には第四空きチャンバ４２が設けられ、前記第四空きチャンバ４２の底端には充電チップ４１が設けられ、前記第四空きチャンバ４２の頂端にはガイドシート３９が設けられ、前記ガイドシート３９と前記充電チップ４１とにはバッテリー４０が取り付けられることができ、前記取っ手４８の左端には第二接触点４９が固定的に設けられ、前記第二接触点４９と前記ガイドシート３９とには第一通電導線３６が連結され、前記充電チップ４１と前記ＬＥＤライトベルト４３とには第三通電導線３８が連結され、前記半円柱４７の中には第一永久磁石４６が嵌設される。
【００１５】
有益的には、前記デスクライト台１２は前記第二空きチャンバ２４を含み、前記第二空きチャンバ２４のうち前記支持枠２７から離れている端壁には前記第二接触点４９と係合する第三接触点２３が固定的に設けられ、前記第一空きチャンバ２５の底端には光透過ガラス２６が固定的に設けられ、前記光透過ガラス２６の左右両側には上下に貫通しているスライド溝３５が設けられ、前記スライド溝３５の中には押しロッド３４がスライドできるように設けられ、前記押しロッド３４の底端には第二永久磁石３２が固定的に設けられ、前記スライド溝３５の底端には前記第二永久磁石３２と係合する電磁石３１が固定的に設けられ、前記電磁石３１のうち前記支持枠２７から離れている側にはバネ復帰機構３３が固定的に設けられ、前記スタンド２８の左側頂面には前記電磁石３１を制御するボタンスイッチ２９が固定的に設けられ、前記スタンド２８の右端面にはプラグ３０が連結される。
【００１６】
有益的には、前記ベッドライト台１０は前記第三空きチャンバ１４を含み、前記第三空きチャンバ１４の中にはスライドブロック１５がスライドできるように設けられ、前記スライドブロック１５には上方に開口した第五空きチャンバ１６が設けられ、前記第五空きチャンバ１６の底端には第四接触点２１が固定的に設けられ、前記スライドブロック１５の底端には通電スイッチ２０が固定的に設けられ、前記通電スイッチ２０の底端には色温度チップ１９が設けられ、前記ベッドライトスタンド１８の中の右側には前記色温度チップ１９を制御するノブスイッチ１７が設けられる。
【００１７】
以下、付図１〜６と上記に説明した本出願の卓面多機能ＬＥＤライトの具体的な構成を合わせて本発明の卓面多機能ＬＥＤライトを詳しく説明する：
【００１８】
まず、初期状態では、前記ライト棒１１が前記デスクライト台１２や前記ベッドライト台１０の中に取り付けられていなく、前記通電スイッチ２０が前記色温度チップ１９を起動していなく、前記押しロッド３４が前記第一空きチャンバ２５の中に伸びていなく、前記ボタンスイッチ２９が前記電磁石３１を起動していなく、前記電磁石３１と前記第二永久磁石３２とが引き合っており、両端の前記第一永久磁石４６が引き合っている。
【００１９】
本発明の設備は前記デスクライト台１２を使用し照明する時、第二ヒンジ軸４５により前記半円柱４７と前記第一ヒンジ軸５０とを互いに離れさせ、両端の前記半円柱４７が水平状態になった後、前記半円柱４７を前記第一空きチャンバ２５と前記第二空きチャンバ２４との中に取り付け、その時前記第三接触点２３と前記第二接触点４９とが接触し、前記プラグ３０がコンセントに挿入されて前記デスクライト台１２が前記第二接触点４９の中まで電気を提供する時、前記第二接触点４９が前記第一通電導線３６と、前記充電チップ４１と、前記第二通電導線３７とにより前記バッテリー４０を充電することができ、同時に前記第二接触点４９が前記第一通電導線３６と、前記充電チップ４１と、前記第三通電導線３８とにより前記ＬＥＤライトベルト４３をつけ、前記ライト棒１１を取り出す時、前記ボタンスイッチ２９を押し、前記ボタンスイッチ２９により前記第二永久磁石３２と前記電磁石３１とが退け合い、前記第二永久磁石３２が前記押しロッド３４を連動させて前記ライト棒１１を押し出す。
【００２０】
本発明の設備は前記ベッドライト台１０を使用し雰囲気を出す時、前記半円柱４７が前記第二ヒンジ軸４５により前記第一ヒンジ軸５０と互いに近づき、前記第一永久磁石４６が互いに引き合い、その時前記ライト棒１１が円柱状であり、合併された前記ライト棒１１を前記第三空きチャンバ１４の中に挿し、前記第二接触点４９と前記第四接触点２１とが係合し、その時前記ライト棒１１を下へ押し、前記ライト棒１１が前記スライドブロック１５を下へスライド連動させ、前記スライドブロック１５が前記通電スイッチ２０を押し、前記通電スイッチ２０が作動し前記第四接触点２１に電気を提供し、同時に前記ノブスイッチ１７が前記色温度チップ１９を制御し電流を変化させ、変化後の電流が前記第二通電導線３７と前記充電チップ４１と前記第三通電導線３８とを経由して前記ＬＥＤライトベルト４３の中に入った後、前記ＬＥＤライト４３が雰囲気の光を出し、同時に前記第二通電導線３７と、前記充電チップ４１と、前記ガイドシート３９とにより前記バッテリー４０を充電することができ、前記ライト棒１１を取り出す時、再び前記ライト棒１１を押し、前記通電スイッチ２０をオフにし、前記通電スイッチ２０が前記ライト棒１１を弾き出す。
【００２１】
本発明の設備は停電し緊急の照明が必要する場合に置いて、前記ライト棒１１を単独に取り出して前記ライト棒１１を合併し、前記バッテリー４０が前記充電チップ４１と前記第三通電導線３８とにより前記ＬＥＤライトベルト４３をつけ、緊急の照明に使い、その時前記ライト棒１１が単独に照明ライト棒として使用される。
【００２２】
上記の詳しい説明により、前記設備は機械構造により電動的に転換し、設備の電動転換率が高く、同時に各機構が緊密に協働し、設備の機能が多く、設備の操作が簡単でわかりやすく、各部品は単独に取り出して交換することができ、設備の構造が一目瞭然であり、設備の修理が簡単で便利であり、設備の使い道が多く、実用性が強い。
【００２３】
従って、本発明の卓面多機能ＬＥＤライトは電動転換率が高く、設備のモジュラー化程度が高く、使い道が多く、実用性が強く、設備の操作が簡単でわかりやすく、同時に各部品は単独に取り出して交換することができ、設備の修理が簡単で便利である。
【００２４】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177894.tif 000003
【図２】
2020177894.tif 000004
【図３】
2020177894.tif 000005
【図４】
2020177894.tif 000006
【図５】
2020177894.tif 000007
【図６】
2020177894.tif 000008
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
正面視で、ライト棒と、デスクライト台と、ベッドライト台とを含み、前記ライト棒は前記デスクライト台と前記ベッドライト台とに取り付けられることができ、前記ライト棒は半円柱を含み、左側の前記半円柱には第一ヒンジ軸が固定的に設けられ、右側の前記半円柱には第二ヒンジ軸が固定的に設けられ、前記第二ヒンジ軸と前記第一ヒンジ軸とがヒンジによって連結され、前記半円柱の左端には取っ手が固定的に設けられ、前記半円柱の底端にはＬＥＤライトベルトが設けられ、二つの前記ＬＥＤライトベルトが第一接触点により連結され、前記デスクライト台はライトカバーを含み、前記ライトカバーにはスタンドが支持枠により固定的に連結され、前記ライトカバーの中には上方に開口した第一空きチャンバが設けられ、前記第一空きチャンバの両端壁には第二空きチャンバが連通するように設けられ、前記ベッドライト台はベッドライトスタンドを含み、前記ベッドライトスタンドの頂面には円柱ガラスが固定的に設けられ、前記円柱ガラスの中には上方に開口した第三空きチャンバが設けられることを特徴とする卓面多機能ＬＥＤライト。
【請求項２】
前記ライト棒は前記半円柱を含み、前記半円柱の中には第四空きチャンバが設けられ、前記第四空きチャンバの底端には充電チップが設けられ、前記第四空きチャンバの頂端にはガイドシートが設けられ、前記ガイドシートと前記充電チップとにはバッテリーが取り付けられることができ、前記取っ手の左端には第二接触点が固定的に設けられ、前記第二接触点と前記ガイドシートとには第一通電導線が連結され、前記充電チップと前記ＬＥＤライトベルトとには第三通電導線が連結され、前記半円柱の中には第一永久磁石が嵌設されることを特徴とする請求項１に記載の卓面多機能ＬＥＤライト。
【請求項３】
前記デスクライト台は前記第二空きチャンバを含み、前記第二空きチャンバのうち前記支持枠から離れている端壁には前記第二接触点と係合する第三接触点が固定的に設けられ、前記第一空きチャンバの底端には光透過ガラスが固定的に設けられ、前記光透過ガラスの左右両側には上下に貫通しているスライド溝が設けられ、前記スライド溝の中には押しロッドがスライドできるように設けられ、前記押しロッドの底端には第二永久磁石が固定的に設けられ、前記スライド溝の底端には前記第二永久磁石と係合する電磁石が固定的に設けられ、前記電磁石のうち前記支持枠から離れている側にはバネ復帰機構が固定的に設けられ、前記スタンドの左側頂面には前記電磁石を制御するボタンスイッチが固定的に設けられ、前記スタンドの右端面にはプラグが連結されることを特徴とする請求項２に記載の卓面多機能ＬＥＤライト。
【請求項４】
前記ベッドライト台は前記第三空きチャンバを含み、前記第三空きチャンバの中にはスライドブロックがスライドできるように設けられ、前記スライドブロックには上方に開口した第五空きチャンバが設けられ、前記第五空きチャンバの底端には第四接触点が固定的に設けられ、前記スライドブロックの底端には通電スイッチが固定的に設けられ、前記通電スイッチの底端には色温度チップが設けられ、前記ベッドライトスタンドの中の右側には前記色温度チップを制御するノブスイッチが設けられることを特徴とする請求項１に記載の卓面多機能ＬＥＤライト。